(57)【特許請求の範囲】
【請求項１】
物品を収納可能な箱体と、
この箱体を閉塞する蓋体とからなり、
箱体と、蓋体とはヒンジ部を介して開閉自在に回動するとともに、
箱体を蓋体により閉塞した状態で、蓋体の開口動作を防止する係止手段を設け、この係止手段による係止を解除することによって開口する蓋体の開口状態が初期開口と、
この初期開口以降の通常開口との少なくとも２段階に、それぞれ異なる速度で開口する収納容器において、
ヒンジ部は、箱体側ヒンジ部と蓋体側ヒンジ部とを互いに連通する挿通孔を有しており、
この挿通孔内に胴部と頭部とを一体に形成してなる回転部材を有し、
この回転部材の頭部側を蓋体側の挿通孔に付勢部材を介して配設するとともに、回転部材は、胴部に螺旋状に形成された溝を有し、
この溝に弾性素材からなるスリップ部材を固着し、
断面略楕円形状をなす箱体側ヒンジ部の挿通孔内に挿通して構成した、
ことを特徴としたヒンジ機構。
【発明の詳細な説明】
【技術分野】
【０００１】  本発明は、主に収納容器におけるヒンジ機構であって、収納容器の蓋体がワンプッシュで所定の角度まで速度が可変しながらスムーズに開口可能なヒンジ機構に関する。
【背景技術】
【０００２】  従来のヒンジ機構を備えた収納容器である化粧料容器の形態を以下の図面を用いて説明する。
図１２は、従来の化粧料容器の斜視図である。
図１３（Ａ）は、従来の化粧料容器に於ける使用状態を示す説明図である。
（Ｂ）は、従来の化粧料容器に於ける使用状態で蓋体を開いた状態を示す説明図である。【０００３】図１２に示すアイシャドーやグロスなどに使用されるカラーパレットと称される化粧料容器１０１は、容器本体１１０と蓋体１２０とからなり、この容器本体１１０には色違いの化粧料１０２と、この化粧料１０２を詰める詰替え容器１０３及び化粧筆などの化粧用具１０４が収納されたパレット１０５が設けられている。また、容器本体１０１を閉塞する蓋体１２０の内側には化粧時に顔を写すための鏡１０７が装着されている。【０００４】  蓋体１２０の開閉に関して、ヒンジ機構を備えたヒンジ部１３０の回転部材である支軸（図示せず）で開閉自在に枢着し、かつヒンジ部１３０内にいわゆる付勢部材であるねじりバネ（図示せず）を装着した後に蓋体１２０を矢印の開口方向へ付勢する。容器本体１１０の前部に係止手段である押しボタン１１１が配設されている。この押しボタン１１１に形成された係合凹部１１１ａへ、蓋体１２０の前部に垂下した係合突起１２１を係止させるとともに、容器本体１１０の前部に設けられた押しボタン１１１を押すことにより、蓋体１２０の係合突起１２１が押し出されて係合凹部１１１ａとの係止が解除され、開口するヒンジ機構を備えた化粧料容器１０１が知られている。【０００５】  また、化粧料容器の蓋体が所定の角度まで開く従来例として、特許文献１（特開２００５−１９２７０９号公報）の図４に開示されたものがある。いわゆる化粧料容器は、蓋体の開口角度を所望の角度に固定的に保持するための回転部材であるシャフト（支軸）に固定カムを備えるとともに、この固定カムに対向して２分割された滑動カムでねじりバネを挟持し、シャフトの軸方向に摺動自在に取付けられている。
【特許文献１】  特開２００５−１９２７０９号公報
【特許文献２】  特許第４１０５４７６号公報
【発明の開示】
【発明が解決しようとする課題】
【０００６】  従来のヒンジ機構を備えた化粧料容器１０１の開蓋の方法を図１３（Ａ）に示す。先ず、蓋体１２０が閉じた状態の化粧料容器１０１の容器本体１１０を例えば左手の親指Ｈとその他の指Ｗとで挟むように掴んだ後に容器本体１１０の押しボタン１１１（図１２参照）を親指Ｈで押すと係止状態が解かれた蓋体１２０が付勢部材であるねじりバネ（図示せず）の付勢力によって開口角度３０°付近の位置ハまで初期開口する。次に、右手（図示せず）で蓋体１２０の両端部を掴み位置ハから予め設定された使用最適角度である開口角度１３５°付近の位置ニまで右手（図示せず）で開き使用する。従って、２段階で蓋体１２０は、使用最適角度である開口角度１３５°付近まで開蓋することになる。【０００７】  また、従来のヒンジ機構を備えた化粧料容器１０１の蓋体１２０を１アクションで開蓋させる場合、付勢部材であるねじりバネ（図示せず）の付勢力を強くしたヒンジ部１３０を備える必要がある。この場合、図１３（Ｂ）に示すように容器本体１１０の押しボタン１１１（図１２参照）を親指Ｈで押すと係止状態が解かれた蓋体１２０が付勢部材であるねじりバネ（図示せず）の付勢力によって図１３（Ａ）に示す位置ニまで減速なしに一気に開口する。この際、図１３（Ｂ）に示すように蓋体１２０は、開口の反動で親指Ｈ及びその他の指Ｗから外れて下面に落下して化粧料容器１０１を破損することがあった。【０００８】  また、化粧料容器１０１が図１３（Ｂ）に示す状態でたとえ落下しないとしても蓋体１２０が減速なしに勢い良く開口する反動で化粧料１０２（図１２参照）が飛散したり、パフなどの化粧用具が下面に落下して汚れたり破損したりすることもあった。【０００９】  また、特許文献１に記載の化粧料容器は、特開２００５−１９２７０９号公報（図４）でも分かるようにシャフト（支軸）に取付ける複雑な形状をした固定カムや２分割された滑動カムの製作が難しく一般に普及するにはその加工による製造コストが高くなる等の問題もあった。【００１０】  本発明は、上述した問題点を解決するためになされたもので、
化粧料容器の押しボタンを押して係止状態が解除された蓋体がねじりバネの付勢力により、回転角度が３０°付近まで初期開口し、その後もスリップ部材が弾性変形を起こし、スリップしながら摩擦抵抗により、化粧料容器の容器本体を指で保持したままスムーズに減速して、回転角度が１３５°付近の通常開口するまでゆっくり動作して停止するので、例えば左手で化粧料容器を持ち、左手の親指で押しボタンを押しても蓋体が１アクションで開口できるヒンジ機構の提供を目的とする。【００１１】  また、上述した問題を解決するため、化粧料容器のヒンジの構造を簡素にしてヒンジ機構を構成する部品点数を少なくすることによって製造が極めて容易になり、さらに部品形状を簡素にして、その加工による製造コストも安く抑えることができる廉価なヒンジ機構の提供をも目的とする。
【課題を解決するための手段】
【００１２】  上述した目的を達成するために、本発明に係るヒンジ機構は、
物品を収納可能な箱体と、
この箱体を閉塞する蓋体とからなり、
箱体と、蓋体とはヒンジを介して開閉自在に回動するとともに、
箱体を蓋体により閉塞した状態で、蓋体の開口動作を防止する係止手段を設け、この係止手段による係止を解除することによって開口する蓋体の開口状態が初期開口と、
この初期開口以降の通常開口との少なくとも２段階に、それぞれ異なる速度で開口する収納容器において、
前記ヒンジ部は、箱体側ヒンジ部と蓋体側ヒンジ部とを互いに連通する挿通孔を有しており、
この挿通孔内に胴部と頭部とを一体に形成してなる回転部材を有し、
この回転部材の頭部側を蓋体側の挿通孔に付勢部材を介して配設するとともに、
回転部材は、前記胴部に螺状に形成された溝を有し、
この溝に弾性素材からなるスリップ部材を固着し、
断面略楕円形状をなす前記箱体側ヒンジ部の挿通孔内に挿通して構成した、
ことを特徴とした。
【発明の効果】
【００１３】本発明に係るヒンジ機構を化粧料容器に適用した場合、回転部材は、胴部に螺旋状に形成された溝に弾性素材からなるスリップ部材を固着し、断面略楕円形状をなす箱体側ヒンジ部の挿通孔内に挿通して構成したので、回転部材と箱体側ヒンジ部の挿通孔内との隙間が大きい長径部から隙間が小さい短径部の内壁面をスリップ部材が螺旋に沿って徐々に当設し、弾性変形を起こしながら、スリップ（滑り）して行くので、蓋体の開口動作がスムーズになる効果があった。【００１４】また、本発明に係るヒンジ機構は、ヒンジ機構を構成する全てが部品の箱体側ヒンジ部と蓋体側ヒンジ部とを、互いに挿通する挿通孔内に内臓され、蓋体側ヒンジ部の挿通孔を後述するキャップで栓をするため外側からは、全く見えず外観の見栄えが良い化粧料容器を提供できる効果があった。【００１５】さらに、本発明に係るヒンジ機構は、ヒンジ機構を構成する部品点数が少なく、簡素な構造でどの部品も極めて容易に製造加工できるので、結果的に化粧料容器のコストダウンに繋がる効果もあった。
【発明を実施するための最良の形態】
【００１６】  以下に、本発明に係る化粧料容器の好適な一実施形態を添付した図面を参照しながら詳細に説明する。
図１は、本発明に係るヒンジ機構を備えた化粧料容器の斜視図である。
図２は、本発明に係るヒンジ機構を備えた化粧料容器の分解斜視図である。
図３は、本発明に係るヒンジ機構を備えた化粧料容器に於けるヒンジ部の部分分解斜視図である。
図４は、本発明に係るヒンジ機構を備えた化粧料容器に於ける支軸の斜視図である。
図５は、本発明に係るヒンジ機構を備えた化粧料容器に於けるスリップ部材を支軸に装着する状態を示す斜視図である。
図６（Ａ）は、本発明に係るヒンジ機構を備えた化粧料容器に於ける支軸の装着状態を示す平面から見た部分断面図である。
（Ｂ）は、本発明に係るヒンジ機構を備えた化粧料容器に於ける支軸を装着し、付勢部材と係止する状態を示す平面から見た部分断面図である。
（Ｃ）は、本発明に係るヒンジ機構を備えた化粧料容器に於ける平面から見た支軸を固着した状態を示す部分断面図である。
図７（Ａ）は、本発明に係るヒンジ機構を備えた化粧料容器に於ける蓋体を閉じた状態のヒンジ部の部分断面図である。
（Ｂ）は、本発明に係るヒンジ機構を備えた化粧料容器に於ける蓋体を３０°開口した状態のヒンジ部の部分断面図である。
（Ｃ）は、本発明に係るヒンジ機構を備えた化粧料容器に於ける蓋体が１３５°付近まで開口した状態のヒンジ部の部分断面図である。
図８は、本発明に係るヒンジ機構を備えた化粧料容器に於ける押しボタン部を示す部分分解斜視図である。
図９（Ａ）は、本発明に係るヒンジ機構を備えた化粧料容器に於ける押しボタン部を押す前の状態を示す部分斜視図である。
（Ｂ）は、本発明に係るヒンジ機構を備えた化粧料容器に於ける押しボタン部を押した状態を示す部分斜視図である。
図１０（Ａ）は、本発明に係るヒンジ機構を備えた化粧料容器に於ける蓋体を閉じた状態の押しボタン部と蓋体のフック部を示す部分断面図である。
（Ｂ）は、本発明に係るヒンジ機構を備えた化粧料容器に於ける押しボタン部を押して蓋体のフック部の係止を解除した状態を示す部分断面図である。
（Ｃ）は、本発明に係るヒンジ機構を備えた化粧料容器に於ける蓋体のフック部が外れ蓋体が開いた状態を示す部分断面図である。
図１１（Ａ）は、本発明に係るヒンジ機構を備えた化粧料容器に於ける使用状態を示す説明図である。
（Ｂ）は、本発明に係るヒンジ機構を備えた化粧料容器に於ける蓋体を開いた状態を示す説明図である。
【実施例】
【００１７】  図１に示すように、本発明のヒンジ機構を備えた収納容器であるアイシャドーやグロスなどに使用されるカラーパレットと称される化粧料容器１は、箱体である容器本体１０と蓋体２０とからなり、この容器本体１０には色違いの化粧料２と、この化粧料２を詰める詰替え容器３及び化粧筆などの化粧用具４が収納されたパレット５が収納部６に設置される。このパレット５は、詰替え容器３が収納される複数の収納部５ａと化粧用具４を固定する固定凹部５ｂとが一体に形成されている。また、容器本体１０を閉塞する蓋体２０の内側には化粧時に顔を写すための鏡７が装着されている。また、容器本体１０と蓋体２０とは後端に設けられたヒンジ機構であるヒンジ部３０を介して開閉自在に回動する。【００１８】  図１及び図２に示すように、容器本体１０を蓋体２０により閉塞した状態で蓋体２０の開口動作を防止する係止手段である押しボタン１１が容器本体１０に形成されたスライド部１２（図２参照）にスライド可能に取付けられている。また、蓋体２０には垂下して凸設された係止手段を構成するフック２１が設けられ、概ね構成されている。【００１９】  上述した化粧料容器１におけるヒンジ機構であるヒンジ部３０は、箱体側ヒンジ部である容器本体側ヒンジ部５０と蓋体側ヒンジ部４０とから構成されている。さらにヒンジ部３０は、付勢部材である一対のねじりバネ６０と回転部材である一対の支軸７０とキャップ７５とが左右対称に配され構成されている。【００２０】  図３に示すように、ヒンジ部３０の蓋体側ヒンジ部４０には一対の枢支部４１に断面略楕円形状をした挿通孔４２とこの挿通孔４２の内端に段差孔４３が連通して穿設されている。段差孔４３には、固定溝４３ａが形成されている。一方、ヒンジ部３０の容器本体側ヒンジ部５０には枢支部５１に断面略楕円形状をした挿通孔５２とこの挿通孔５２の両端に一対の保持孔５３が連通して穿設されている。また、一対の保持孔５３と挿通孔５２との段差壁には係止穴５３ａが所定の位置に凹設されている。【００２１】  また、一対の保持孔５３には一対のねじりバネ６０が収納されている。このねじりバネ６０の両端には係止突起６０ａ、６０ｂがそれぞれ形成されている。一方の係止突起６０ａが保持孔５３の係止穴５３ａに係止される。さらにヒンジ部３０には回転部材である一対の支軸７０が両端（図２参照）から取付けられて構成されている。この支軸７０にはキャップ７５に突設した突起７５ａを差込むための係止穴７４が凹設されており、目隠し用のキャップ７５が取付けられている。係止穴７４は、本来、後述する工具Ｇ（図６（Ｂ）参照）用の作業穴でもある。【００２２】  図３及び図４に示すように支軸７０は、胴部７１と頭部７２からなり、頭部７２には上述した係止穴７４が所定の位置に凹設されるとともに係止穴７２ａと固定突起７２ｂが形成されている。胴部７１には前記容器本体側ヒンジ部５０の枢支部５１に形成された断面略楕円形状をした挿通孔５２の内壁を支軸７０とともに圧縮による弾性変形と適度な摩擦力を有して、すべりながら回転する部材として弾性素材であるシリコンラバー（その他の素材として熱可塑性エラストマー、軟質ポリエチレン、発泡樹脂のいずれであってもよい）からなるスリップ部材７３が螺旋溝７１ａに固着されている。また、図５に示すようにスリップ部材７３は、支軸７０に溝設された螺旋溝７１ａに差込むように取付けられ固着されている。【００２３】  上述した支軸７０のヒンジ部３０への取付け方法を図６（Ａ）から図６（Ｃ）に示す。
図６（Ａ）に示すように支軸７０は、胴部７１を蓋体側ヒンジ部４０の挿通孔４２に挿入される。この際、前記容器本体側ヒンジ部５０（図３参照）の保持孔５３に予め装着されたねじりバネ６０は、一方の係止突起６０ａを保持孔５３の係止穴５３ａに係止され保持されている。【００２４】  次に、図６（Ｂ）に示すように支軸７０は、スリップ部材７３を固着した胴部７１を枢支部４１の挿通孔４２（図６（Ａ）参照）から押込むように枢支部５１の挿通孔５２挿入される。この時、支軸７０は、頭部７２の係止穴７４に工具Ｇを差込んで作業をすると容易に挿入できる。この段階では段差孔４３（図３参照）の固定溝４３ａと支軸７０の頭部７２に形成された固定突起７２ｂとは、まだ係合固定されていない。しかし、ねじりバネ６０と支軸７０とは他方の係止突起６０ｂと支軸７０の頭部７２に形成された係止穴７２ａとが係止されている。この状態でねじりバネ６０に付勢力を保持させるため、工具Ｇで支軸７０を所定の回数または、角度分を回した後に、ねじりバネ６０の他方の係止突起６０ｂを係止穴７２ａに係止させる。【００２５】  そして、図６（Ｃ）に示すように支軸７０は、付勢力を保持したねじりバネ６０を支軸７０の頭部７２に形成された固定突起７２ｂを段差孔４３に形成した固定溝４３ａに位置を合わせ、工具Ｇなどで叩くか強く押込んで嵌入し固定させる。この際、固定突起７２ｂの幅寸法は、固定溝４３ａの幅寸法より若干大きめに設定されているので一度嵌入させ固着させると通常の使用では抜けることはない。最後に係止穴７４に目隠し用のキャップ７５を差込んで見映えをよくする。【００２６】  以上のように構成された本発明のヒンジ機構であるヒンジ部３０の作動について図７（Ａ）から図７（Ｃ）を用いて説明する。
図７（Ａ）に示すように化粧料容器１の容器本体１０と蓋体２０とが閉じた状態において容器本体側ヒンジ部５０を構成する枢支部５１（図３参照）の挿通孔５２内には蓋体側ヒンジ部４０を構成する枢支部４１（図３参照）の挿通孔４２（図３参照）から挿入され、スリップ部材７３を固着した支軸７０が位置している。この状態で支軸７０の回転中心Ｐからスリップ部材７３の先端までの距離Ｌと支軸７０の回転中心Ｐから挿通孔５２の内壁までの距離Ｓは、Ｓ＞Ｌの関係にあり、この位置では挿通孔５２の内壁とスリップ部材７３とは隙間を有しており、フリー（無負荷）な状態を維持している。【００２７】  従って、図７（Ｂ）に示すように容器本体１０と蓋体２０との係止が解除された場合、蓋体２０は、上述したねじりバネ６０（図３参照）の付勢力によって開口するが初期開口θ１である角度０°から３０°付近まで開口した状態でスリップ部材７３の先端が前記挿通孔５２の内壁に当接し、蓋体２０の初期開口速度が減速される。この場合、支軸７０の回転中心Ｐから挿通孔５２の内壁までの距離Ｓ１と距離ＳとはＳ＞Ｓ１の関係にあるので、支軸７０と挿通孔５２の内壁との隙間が小さくなっていき、スリップ部材７３が挿通孔５２の内壁との隙間を埋めるようとして弾性変形を起こし、摩擦しながらスリップして支軸７０の回転速度を低下させていくとともに、蓋体２０の開口速度を遅くする。【００２８】  そして、図７（Ｃ）に示すように蓋体２０は、ねじりバネ６０（図３参照）の付勢力によって、さらに開口していくが通常開口θ２が３０°付近から１３５°まで開口した状態で支軸７０の回転中心Ｐから開口した状態でスリップ部材７３の先端が挿通孔５２の内壁までの距離Ｓ２がＳ＞Ｓ１＞Ｓ２の関係にあり、支軸７０と挿通孔５２の内壁との隙間がほとんどなくなり、支軸７０は回転しなくなって、蓋体２０の開口動作が停止し、化粧料容器１（図７（Ａ）参照）の使用が可能となる。また、蓋体２０が１３５°以上開口しないように、この角度で容器本体１０の立壁１０Ａに蓋体２０の突き当て部２０Ａが突き当たる構造となっている。【００２９】尚、上述した開口角度が３０°付近とあるのは、スリップ部材７３が弾性素材であるため柔軟性があり変形して、金属材などのように正確な位置で減速や停止できないためである。また、上述した図７（Ａ）から図７（Ｃ）までは、図４に示すスリップ部材７３の略中央部分の断面図で説明しているが、スリップ部材７３は、蓋体２０の開口に伴い、支軸７０が回転すると、スリップ部材７３は、図４に示す端部７３ａから端部７３ｂ方向へ挿通孔５２（図７（Ａ）から図７（Ｃ）参照）の内壁を螺旋状に当接しながら、弾性変形し、減速して回転していくので、蓋体２０は、従来の直線状の干渉部材（スリップ部材）に比べて、衝撃が少なく、スムーズに開口する。
また、本出願人による実験の結果スリップ部材７３の素材としてシリコンラバーを使用した場合、接触面にシリコンオイルを塗布することによって、蓋体２０の開口動作がさらにスムーズになることが判明した。【００３０】  次に、係止手段である係止構造について図８から図１０を用いて詳細に説明する。
係止構造は、すでに図２で説明した蓋体２０に垂下して凸設されたフック２１と係合する受け入れ側である押しボタン１１により構成されている。
さらに、図８に示すように押しボタン１１の上方に係止孔１１ａと左右にスライド量を規制するスライド凹部１１ｂが形成されている。押しボタン１１は、容器本体１０の前方に形成されたスライド部１２の底面１２Ａにスライド可能に取付けられている。【００３１】  また、スライド部１２の後壁１２Ｂには一対の弾性片１３が斜めに凸設されている。さらに左右の側壁１２Ｃには押しボタン１１に設けた一対のスライド凹部１１ｂと係合する一対の突起１２ａが一体に突設形成されている。この突起１２ａは、略三角形状を有しており、押しボタン１１をスライド部１２に押圧していくと押しボタン１１は、突起１２ａの傾斜面を変形しながら挿入され、凹形状のスライド凹部１１ｂに突起１２ａが嵌った時に突起１２ａの直立面が押しボタン１１のスライドを規制し、押しボタン１１が外れない構造となっている。【００３２】  押しボタン１１のスライド方法について図９（Ａ）、（Ｂ）を用いて説明する。図９（Ａ）に示すように容器本体１０のスライド部１２に配設された押しボタン１１は、この押しボタン１１の後端面１１ｄで突き当たっている一対の弾性片１３によって前方に付勢されている。この状態で押しボタン１１を矢印方向に押した状態となっている。【００３３】  図９（Ｂ）に示すように、押しボタン１１を矢印方向に押した状態で押しボタン１１の後端面１１ｄで突き当たっている一対の弾性片１３は、略弓形状に変形して反発力（付勢力）を強めている。そしてスライド凹部１１ｂに突起１２ａが突き当たった位置で押しボタン１１は停止する。この状態で押しボタン１１から指Ｗを離すと、一対の弾性片１３は、直線的な元の形状に復元して押しボタン１１が図９（Ａ）の状態に戻る。【００３４】  上述した係止手段である押しボタン１１とフック２１（図１参照）との係止及び解除について、図１０（Ａ）から図１０（Ｃ）を用いて説明する。
図１０（Ａ）に示すように蓋体２０に凸設された係止手段であるフック２１は、押しボタン１１の係止孔１１ａに位置し、係止片１１ｃに引っ掛かり係止している。この状態で押しボタン１１を矢印方向に押していく。【００３５】  図１０（Ｂ）に示すようにスライド凹部１１ｂ（図９参照）は、スライド部１２（図９参照）をスライドする。スライドした押しボタン１１と一体に形成された係止片１１ｃもまた同時に移動して、フック２１の係止が解除される。【００３６】  そして図１０（Ｃ）に示すように上述したねじりバネ６０（図３参照）の付勢力によって、蓋体２０とともにフック２１は、押しボタン１１の係止孔１１ａから外れて蓋体２０はヒンジ部３０（図１参照）を中心に矢印方向に開口する。【００３７】  また、図１１（Ａ）に示すように本発明に係わるヒンジ機構を備えた化粧料容器１を親指Ｈとその他の指Ｗとで保持しながら、押しボタン１１（図１０参照）を押すと図１１（Ｂ）に示すように係止が解除される。そして蓋体２０は、ねじりバネ（図示せず）の付勢力により位置イ（３０°付近）までは、図７（Ａ）に示すよう挿通孔５２の内壁とスリップ部材７３とは隙間を有しており、フリー（無負荷）な状態を維持しているので、減速なしに勢い良く一気に開口するが、位置イから位置ロ（１３５°）までは、図７（Ｂ）に示すようスリップ部材７３が弾性変形を起こし挿通孔５２の内壁とこの隙間を埋めるようとして摩擦を発生させながらスリップして支軸７０の回転速度を徐々に低下させ、蓋体２０の開口速度が遅くなり、ついには、図７（Ｃ）に示すように、蓋体２０の角度が１３５°以上開口しないよう容器本体１０の立壁１０Ａに蓋体２０の突き当て部２０Ａが突き当たって蓋体２０が開口が停止するので通常の使用状態に於いて化粧料容器１が親指Ｈ及びその他の指Ｗからすり抜けて下面に落下し破損したり、開口した時の反動で化粧料２（図１参照）が飛散したりすることもなくなった。【００３８】  さらに、図１１（Ｂ）に示すように化粧料容器１の蓋体２０を位置口まで、開口しても容器本体１０に指Ｗで掴むスペースが残存しているのでヒンジ部３０がその他の指Ｗに触れず、上述同様、化粧料容器１が親指Ｈからすり抜けて下面に落下して破損することもなくなり、使用勝手が向上するだけでなく開口動作に優雅さが加わり、化粧料容器として女性に夢を与える商品となった。
【産業上の利用可能性】
【００３９】  本発明に係わるヒンジ機構は、上述したように箱体と開閉する蓋体とからなり、かつ、ヒンジを有する収納容器で開口動作を防止する係止手段が設けられたものであれば、家庭用電気製品などの蓋体などへの利用が可能である。
【図面の簡単な説明】
【００４０】
【図１】は、本発明に係るヒンジ機構を備えた化粧料容器の斜視図である。
【図２】は、本発明に係るヒンジ機構を備えた化粧料容器の分解斜視図である。
【図３】は、本発明に係るヒンジ機構を備えた化粧料容器に於けるヒンジ部の部分分解斜視図である。
【図４】は、本発明に係るヒンジ機構を備えた化粧料容器に於ける支軸の斜視図である。
【図５】は、本発明に係るヒンジ機構を備えた化粧料容器に於けるスリップ部材を支軸に装着する状態を示す斜視図である。
【図６】（Ａ）は、本発明に係るヒンジ機構を備えた化粧料容器に於ける支軸の装着状態を示す平面から見た部分断面図である。（Ｂ）は、本発明に係るヒンジ機構を備えた化粧料容器に於ける支軸を装着し、付勢部材と係止する状態を示す平面から見た部分断面図である。（Ｃ）は、本発明に係るヒンジ機構を備えた化粧料容器に於ける平面から見た支軸を固着した状態を示す部分断面図である。
【図７】（Ａ）は、本発明に係るヒンジ機構を備えた化粧料容器に於ける蓋体を閉じた状態のヒンジ部の部分断面図である。（Ｂ）は、本発明に係るヒンジ機構を備えた化粧料容器に於ける蓋体を３０°開口した状態のヒンジ部の部分断面図である。（Ｃ）は、本発明に係るヒンジ機構を備えた化粧料容器に於ける蓋体が１３５°付近まで開口した状態のヒンジ部の部分断面図である。
【図８】は、本発明に係るヒンジ機構を備えた化粧料容器に於ける押しボタン部を示す部分分解斜視図である。
【図９】（Ａ）は、本発明に係るヒンジ機構を備えた化粧料容器に於ける押しボタン部を押す前の状態を示す部分斜視図である。（Ｂ）は、本発明に係るヒンジ機構を備えた化粧料容器に於ける押しボタン部を押した状態を示す部分斜視図である。
【図１０】（Ａ）は、本発明に係るヒンジ機構を備えた化粧料容器に於ける蓋体を閉じた状態の押しボタン部と蓋体のフック部を示す部分断面図である。（Ｂ）は、本発明に係るヒンジ機構を備えた化粧料容器に於ける押しボタン部を押して蓋体のフック部の係止を解除した状態を示す部分断面図である。（Ｃ）は、本発明に係るヒンジ機構を備えた化粧料容器に於ける蓋体のフック部が外れ蓋体が開いた状態を示す部分断面図である。
【図１１】（Ａ）は、本発明に係るヒンジ機構を備えた化粧料容器に於ける使用状態を示す説明図である。（Ｂ）は、本発明に係るヒンジ機構を備えた化粧料容器に於ける蓋体を開いた状態を示す説明図である。
【図１２】は、従来の化粧料容器の斜視図である。
【図１３】（Ａ）は、従来の化粧料容器に於ける使用状態を示す説明図である。（Ｂ）は、従来の化粧料容器に於ける使用状態で蓋体を開いた状態を示す説明図である。
【符号の説明】
【００４１】１  化粧料容器
２  化粧料
３  詰替え容器
４  化粧用具
５  パレット
５ａ  収納部
５ｂ  固定凹部
６  収納部
７  鏡
１０  容器本体
１１  押しボタン
１１Ａ  後端面
１１ａ  係止孔
１１ｂ  スライド凹部
１１ｃ  係止片
１１ｄ  後端面
１２  スライド部
１２Ａ  底面
１２Ｂ  後壁
１２Ｃ  側壁
１２ａ  突起
１３  弾性片
２０  蓋体
２１  フック
３０  ヒンジ部（ヒンジ機構）
４０  蓋体側ヒンジ部
４１、５１  枢支部
４２、５２  挿通孔
４３  段差孔
４３ａ  固定溝
５０  容器本体側ヒンジ部
５３  保持孔
５３ａ  係止穴
６０  ねじりバネ
６１ａ、６０ｂ  係止突起
７０  支軸
７１  胴部
７１ａ  螺旋溝
７２  頭部
７２ｂ  固定突起
７３  スリップ部材
７３ａ、７３ｂ  端部
７４  係止穴
７５  キャップ
θ１  初期開口
θ２  通常開口
Ｈ  親指
Ｗ  その他の指
【図１】
0005257644.tif 000002
【図２】
0005257644.tif 000003
【図３】
0005257644.tif 000004
【図４】
0005257644.tif 000005
【図５】
0005257644.tif 000006
【図６】
0005257644.tif 000007
【図７】
0005257644.tif 000008
【図８】
0005257644.tif 000009
【図９】
0005257644.tif 000010
【図１０】
0005257644.tif 000011
【図１１】
0005257644.tif 000012
【図１２】
0005257644.tif 000013
【図１３】
0005257644.tif 000014